(57)【要約】【課題】ボトル商品の種類に拘らず、収容ラック内のボトル商品を回転バケット内に円滑に移動させることのできるボトル商品の自動販売機を提供する。【解決手段】スライダー２０の前端は回転バケット３０の載置部３１の外周面に沿うように形成されていることから、スライダー２０の前端と回転バケット３０の載置部３１との隙間を商品通路１０ａの幅方向に亘って極力小さくすることができる。このため、外径の小さいボトル商品Ａを商品通路１０ａ内に収容すると、ボトル商品Ａは商品通路１０ａ内で幅方向に位置がずれるが、ボトル商品Ａがスライダー２０と回転バケット３０との隙間に引っ掛かることがない。即ち、ボトル商品Ａの種類に拘らず、商品通路１０ａ内のボトル商品Ａが回転バケット３０内に円滑に移動する。【選択図】図７
2007286747.tif 000002
【特許請求の範囲】
【請求項１】
前面を開口した自動販売機本体と、自動販売機本体内に配置され、複数のボトル商品を前後方向に並ぶように起立状態で収容可能な商品通路が設けられた収容ラックと、収容ラックに前後方向に延びるように設けられ、商品通路内に収容された各ボトル商品の底面を前方に向かって移動可能に支持するスライダーと、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、
前記スライダーの前端を回転バケットの外周面に沿うように形成した
ことを特徴とするボトル商品の自動販売機。
【請求項２】
前面を開口した自動販売機本体と、自動販売機本体内に配置され、複数のボトル商品を前後方向に並ぶように起立状態で収容可能な商品通路が設けられた収容ラックと、収容ラックに前後方向に延びるように設けられるとともに、後端から前端に向かって下方に傾斜し、商品通路内に収容された各ボトル商品の底面を前方に向かって移動可能に支持するスライダーと、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、
前記スライダーの傾斜角度を変更するための角度変更手段を備えた
ことを特徴とするボトル商品の自動販売機。
【請求項３】
前記角度変更手段を、前記スライダーの前端側を支持する前端支持部材と、スライダーの後端側を支持する後端支持部材と、収容ラックの幅方向両側にそれぞれ設けられ、後端支持部材の両端部がそれぞれ取付けられる一対の取付部とから構成し、
前記各取付部を、後端支持部材の高さ方向の位置を調整可能に形成した
ことを特徴とする請求項２記載のボトル商品の自動販売機。
【請求項４】
前記取付部を、互いに上下方向に間隔をおいて設けられた複数の取付孔から構成した
ことを特徴とする請求項３記載のボトル商品の自動販売機。
【請求項５】
前面を開口した自動販売機本体と、自動販売機本体内に配置され、複数のボトル商品を前後方向に並ぶように起立状態で収容可能な商品通路が設けられた収容ラックと、収容ラックに前後方向に延びるように設けられ、商品通路内に収容された各ボトル商品の底面を前方に向かって移動可能に支持するスライダーと、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるとともに、スライダー上の各ボトル商品のうち次に最前となったボトル商品が回転バケットの外周面に後方から当接するボトル商品の自動販売機において、
前記回転バケットの外周面を、スライダー上のボトル商品の重心よりも高い位置に当接するように形成した
ことを特徴とするボトル商品の自動販売機。
【請求項６】
前記回転バケットの外周面に周方向に延びる突状部を設け、
突状部を、スライダーの前端に載置されたボトル商品の重心よりも高い位置に設けた
ことを特徴とする請求項５記載のボトル商品の自動販売機。
【発明の詳細な説明】
【技術分野】
【０００１】
本発明は、飲料入りのビンやペットボトル等のボトル商品を起立状態で収容する収容ラックを有し、収容ラックの前面側に設けられた回転バケットによってボトル商品を１つずつ搬出するようにしたボトル商品の自動販売機に関するものである。
【背景技術】
【０００２】
従来、この種のボトル商品の自動販売機としては、前面を開口した自動販売機本体と、自動販売機本体に前方に向かって引き出し可能に装着され、複数のボトル商品を起立状態で前後方向に並ぶように複数列収容可能に形成されるとともに、収容された各ボトル商品が底板の傾斜によって前方に向かって移動するように構成された収容ラックと、収容ラック内に収容された各ボトル商品を列ごとに仕切り、収容ラック内に複数の商品通路を形成する仕切板と、各商品通路の前方にそれぞれ配置されるように収容ラックに設けられ、周方向の一部に開口部を有する略円筒形状に形成された複数の回転バケットとを備え、回転バケットを開口部が後方を向く回転方向所定位置に配置すると、商品通路内の各ボトル商品のうち最前のボトル商品が回転バケット内に移動し、回転バケットを開口部が前方を向く他の回転方向所定位置まで回転させると、回転バケット内のボトル商品が前方に搬出されるとともに、商品通路内の各ボトル商品のうち次に最前となったボトル商品が回転バケットの外周面に後方から当接するようにしたものが知られている（例えば、特許文献１参照。）。
【特許文献１】特開２０００−２９３７５２号公報
【発明の開示】
【発明が解決しようとする課題】
【０００３】
しかしながら、前記自動販売機では、収容ラックの底板の前端は直線状に形成され、底板の前端側に略円筒形状の回転バケットが設けられているので、商品通路の幅方向中央では底板と回転バケットとの隙間は小さいが、商品通路の幅方向外側では底板と回転バケットとの隙間が大きい。一方、ボトル商品の外径はボトル商品の種類によって異なり、商品通路の幅寸法は大きなボトル商品Ａの外径に応じて設定されているので、小さなボトル商品は商品通路内で幅方向に位置がずれる。このため、小さなボトル商品は底板と回転バケットとの隙間に引っ掛かりやすく、ボトル商品を商品通路から回転バケットに円滑に移動させることができないので、ボトル商品の搬出不具合が発生し易いという問題点があった。
【０００４】
また、ボトル商品の重量や底面の摩擦係数は商品の種類によって異なるので、摩擦係数の大きいボトル商品を収容ラックに収容する場合は、底板の傾斜角度が小さく設定されているとボトル商品が前方に向かって移動し難く、ボトル商品を商品通路から回転バケットに円滑に移動させることができないので、ボトル商品の搬出不具合が発生し易いという問題点もあった。ここで、底板の傾斜角度が大きく設定されている場合は、重量が大きく摩擦係数の小さいボトル商品が収容ラックに収容されると、ボトル商品の重量によって回転バケットに大きな負荷がかかり、回転バケットの回転が阻害される。
【０００５】
また、ボトル商品は収容ラックに起立状態で収容されているので、ボトル商品の底面の摩擦係数が大きい場合はボトル商品の底面が底板に引っ掛かり、ボトル商品が前傾し易い。ボトル商品が前傾した状態で前方に向かって移動すると、ボトル商品が底板から回転バケットに移動する際に底板と回転バケットとの隙間に引っ掛かりやすく、ボトル商品を収容ラックから回転バケットに円滑に移動させることができないので、ボトル商品の搬出不具合が発生し易いという問題点もあった。
【０００６】
本発明は前記問題点に鑑みてなされたものであり、その目的とするところは、ボトル商品の種類に拘らず、収容ラック内のボトル商品を回転バケット内に円滑に移動させることのできるボトル商品の自動販売機を提供することにある。
【課題を解決するための手段】
【０００７】
本発明は前記目的を達成するために、前面を開口した自動販売機本体と、自動販売機本体内に配置され、複数のボトル商品を前後方向に並ぶように起立状態で収容可能な商品通路が設けられた収容ラックと、収容ラックに前後方向に延びるように設けられ、商品通路内に収容された各ボトル商品の底面を前方に向かって移動可能に支持するスライダーと、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、前記スライダーの前端を回転バケットの外周面に沿うように形成している。
【０００８】
これにより、スライダーの前端が回転バケットの外周面に沿うように形成されていることから、スライダーの前端と回転バケットとの隙間を商品通路の幅方向に亘って極力小さくすることができ、外径の小さいボトル商品を商品通路内に収容する場合でも、ボトル商品がスライダーと回転バケットとの隙間に引っ掛かることがない。即ち、ボトル商品の種類に拘らず、商品通路内のボトル商品が回転バケット内に円滑に移動する。
【０００９】
また、本発明は、前面を開口した自動販売機本体と、自動販売機本体内に配置され、複数のボトル商品を前後方向に並ぶように起立状態で収容可能な商品通路が設けられた収容ラックと、収容ラックに前後方向に延びるように設けられるとともに、後端から前端に向かって下方に傾斜し、商品通路内に収容された各ボトル商品の底面を前方に向かって移動可能に支持するスライダーと、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるボトル商品の自動販売機において、前記スライダーの傾斜角度を変更するための角度変更手段を備えている。
【００１０】
これにより、スライダーの傾斜角度が角度変更手段によって変更可能であることから、摩擦係数の大きいボトル商品を商品通路内に収容する場合は、スライダーの傾斜角度を大きくすることにより、ボトル商品がスライダー上を前方に向かって円滑に移動し、重量が大きく摩擦係数の小さいボトル商品を商品通路内に収容する場合は、スライダーの傾斜角度を小さくすることにより、ボトル商品の重量によって回転バケットに加わる負荷が軽減される。即ち、ボトル商品の種類に拘らず、商品通路内のボトル商品が回転バケット内に円滑に移動する。
【００１１】
また、本発明は、前面を開口した自動販売機本体と、自動販売機本体内に配置され、複数のボトル商品を前後方向に並ぶように起立状態で収容可能な商品通路が設けられた収容ラックと、収容ラックに前後方向に延びるように設けられ、商品通路内に収容された各ボトル商品の底面を前方に向かって移動可能に支持するスライダーと、スライダーの前方に配置されるように収容ラックに設けられ、周方向の一部に開口部を有する略筒状の回転バケットとを備え、回転バケットを開口部が後方を向く回転方向所定位置に配置すると、スライダー上の各ボトル商品のうち最前のボトル商品が回転バケット内に移動し、回転バケットを開口部が前方を向く他の回転方向所定位置まで回転させると、回転バケット内のボトル商品が前方に搬出されるとともに、スライダー上の各ボトル商品のうち次に最前となったボトル商品が回転バケットの外周面に後方から当接するボトル商品の自動販売機において、前記回転バケットの外周面を、スライダー上のボトル商品の重心よりも高い位置に当接するように形成している。
【００１２】
これにより、回転バケットの外周面はスライダー上のボトル商品の重心よりも高い位置に当接するように形成されていることから、例えばボトル商品の摩擦係数が大きい場合は、スライダー上を前方に向かって移動する際にボトル商品が前傾し易いが、スライダーの前端においてボトル商品が回転バケットの外周面に当接すると、ボトル商品が後傾する。即ち、ボトル商品が後傾した状態でスライダーから回転バケットに移動するので、ボトル商品がスライダーと回転バケットとの隙間に引っ掛かることがなく、ボトル商品の種類に拘らず、商品通路内のボトル商品が回転バケット内に円滑に移動する。
【発明の効果】
【００１３】
本発明によれば、ボトル商品の種類に拘らず、商品通路内のボトル商品を回転バケット内に円滑に移動させることができるので、ボトル商品の搬出不具合を生ずることがなく、利用者の利便性を向上する上で極めて有利である。
【発明を実施するための最良の形態】
【００１４】
図１乃至図１３は本発明の一実施形態を示すもので、図１は自動販売機の斜視図、図２は収容ラックの斜視図、図３は収容ラックの平面図、図４は取付板及び駆動機構を取外した状態の収容ラックの平面図、図５は収容ラックの要部斜視図、図６はスライダー、当接部材及び回転バケットの側面図、図７はスライダー及び回転バケットの要部平面図、図８は収容ラックの背面側要部斜視図、図９は当接部材の正面図、図１０は当接部材の側面断面図、図１１乃至図１３は当接部材及び回転バケットの動作説明図である。
【００１５】
この自動販売機は、前面を開口した自動販売機本体１と、自動販売機本体１の開口部を開閉可能な前面扉２と、前面扉２の背面側に配置されるように自動販売機本体１内に設けられ、複数のボトル商品Ａを前後方向に並ぶように起立状態で複数列収容可能な収容ラック１０とを備えている。また、収容ラック１０は、前後方向に延びるように設けられた複数のスライダー２０と、各スライダー２０の前方にそれぞれ配置されるように設けられた複数の回転バケット３０と、各回転バケット３０をそれぞれ回転させるための複数の駆動機構３５とを有する。また、以下の文章中の方向の説明は図１及び図２に示した方向に準ずる。また、以下の文章中の幅方向は図１及び図２に示した左右方向と一致している。
【００１６】
自動販売機本体１は矩形の箱状に形成されており、前面に紙幣投入口３、硬貨投入口４、商品選択ボタン５、硬貨取出口６などを有する。また、前面扉２は矩形板状のガラス板２ａを有し、図１における右端が自動販売機本体１に支持されている。また、前面扉２の左端には開閉のための取手２ａが設けられている。
【００１７】
収容ラック１０は、前後方向に延びるように設けられた一対の側面板１１と、各側面板１１の前端に固定されている前面板１２と、各側面板１１の後端に固定されている背面板１３と、収容ラック１０内に収容された各ボトル商品Ａを列ごとに仕切り、収容ラック１０内に複数の商品通路１０ａを形成するための複数の仕切板１４とを有する。
【００１８】
各側面板１１の前端側には左右方向に貫通する第１取付孔１１ａがそれぞれ設けられ、各側面板１１の後端側には左右方向に貫通する複数の第２取付孔１１ｂがそれぞれ設けられるとともに、各第２取付孔１１ｂは互いに上下方向に間隔をおいて配置されている。また、各側面板１１にはそれぞれ前後方向に延びるレール１１ｃが設けられている。
【００１９】
前面板１２の中央部には矩形状の開口部１２ａが設けられている。また、前面板１２の上端側の背面には取付板１２ｂが設けられ、取付板１２ｂは前面板１２の背面から後方に向かって延びている。前面板１２の下端側の背面には平板状の商品受け１２ｃが設けられ、商品受け１２ｃは前面板１２の背面から後方に向かって延びている。
【００２０】
各スライダー２０は各商品通路１０ａごとに設けられ、商品通路１０ａ内に収容されたボトル商品Ａの底面を前方に向かって移動可能に支持している。また、各スライダー２０は、上面を平面状に形成された合成樹脂性のスライダー本体２１と、スライダー本体２１の下面に沿って設けられた金属性の補強部材２２とを有する。スライダー２０の前端は後述する回転バケット３０の載置部３１の外周面に沿うように形成されている。
【００２１】
スライダー本体２１の上面には複数の突状部２１ａが設けられ、各突状部２１ａは前後方向に延びるように設けられている。これにより、ボトル商品Ａとスライダー２０との摩擦抵抗が低減される。また、スライダー本体２１の上面の幅方向中央には前後方向に延びる凹状部２１ｂが設けられている。また、スライダー２０には当接部材４０が前後方向に移動可能に係合しており、当接部材４０は付勢部材５０によって前方に向かって付勢されている。
【００２２】
スライダー本体２１の前端には第１切欠部２１ｃが設けられ、スライダー本体２１の後端には第２切欠部２１ｄが設けられている。一方、収容ラック１０の各側面板１１の第１取付孔１１ａには棒状の前端支持部材６０の端部がそれぞれ挿通し、収容ラック１０の各側面板１１の第２取付孔１１ｂには棒状の後端支持部材７０の端部がそれぞれ挿通している。各支持部材６０，７０の両端部にはそれぞれ位置決めピン８０が取付けられ、位置決めピン８０によって各支持部材６０，７０が収容ラック１０に対して幅方向に位置決めされている。各スライダー２０の第１切欠部２１ｃは前端支持部材６０にそれぞれ係合し、各スライダー２０の第２切欠部２１ｄは後端支持部材７０にそれぞれ係合している。即ち、各スライダー２０は各支持部材６０，７０を介して収容ラック１０に支持されている。また、第２取付孔１１ｂは各側面板１１に複数ずつ設けられ、各第２取付孔１１ｂは互いに上下方向に間隔をおいて設けられているので、後端支持部材７０の端部を他の第２取付孔１１ｂに挿通させることにより、各スライダー２０の傾斜角度を調整することができる。
【００２３】
スライダー本体２１には、前端側の両側面から幅方向外側に向かって突出する一対の幅方向突出部２１ｅと、後端から後方に向かって延びる一対の後方突出部２１ｆとが設けられている。各幅方向突出部２１ｅは仕切板１４または側面板１１に幅方向に係止し、各後方突出部２１ｆは背面板１３に設けられた複数のスリット１３ａにそれぞれ幅方向に係止している。これにより、スライダー２０が収容ラック１０の仕切板１４または側面板１１に対して幅方向に位置決めされる。また、各スリット１３ａは上下方向に延びるように形成されているので、後端支持部材７０の取付位置によって各スライダー７０の傾きを調整することができる。
【００２４】
当接部材４０はスライダー２０に載置された各ボトル商品Ａのうち最後尾のボトル商品Ａに後方から当接可能である。当接部材４０の前面はボトル商品Ａの側面に沿うように曲面状に形成されている。また、当接部材４０の下端側をスライダー２０が挿通し、当接部材４０はスライダー２０の上面に上方から係合するとともに、スライダー２０下面に下方から係合している。さらに、当接部材４０はスライダー２０の側面と幅方向に係合している。
【００２５】
付勢部材５０は渦巻状に巻回されたバネ鋼から成り、当接部材４０の背面側に設けられたシャフト４０ａに回転可能に取付けられている。また、付勢部材５０は当接部材４０に取付けられた状態で一端が引き出され、その一端がスライダー２０の前端に固定されている。また、引き出された付勢部材５０はスライダー２０の凹状部２１ｂ内に位置する。これにより、当接部材４０は付勢部材５０によって前方に向かって付勢されている。
【００２６】
各回転バケット３０は透明な合成樹脂材料から成る。また、各回転バケット３０は、スライダー２０の前端の上面より少し低い位置に設けられた円板状の載置部３１と、載置部３１の上面から上方に延びるように設けられた略円筒形状の筒状部３２とを有する。
【００２７】
載置部３１の下面には円筒状のボス３１ａが設けられ、ボス３１ａは収容ラック１０の商品受け１２ｃに回転自在に支持されている。
【００２８】
筒状部３２の周方向の一部には開口部３２ａが設けられ、開口部３２ａは筒状部３２の外周面の一部が略半周に亘って開口することにより形成されている。筒状部３２の上面には円筒状のボス３２ｂが設けられ、ボス３２ｂは収容ラック１０の取付板１２ｂに回転自在に係合している。筒状部３２の外周面には周方向に延びる突状部３２ｃが設けられ、突状部３２ｃはスライダー２０の前端に載置されたボトル商品Ａの重心よりも高い位置に設けられている。また、突状部３２ｃは筒状部３２の外周面よりも径方向外側に突出している。
【００２９】
各回転バケット３０は前面板１２の背面側に配置されている。また、各回転バケット３０の間にはそれぞれ第１フレーム３３が設けられ、幅方向両側の回転バケット３０と側面板１１との間にはそれぞれ第２フレーム３４が設けられている。これにより、各回転バケット３０の間に生ずる隙間が閉鎖されるとともに、幅方向両側の回転バケット３０と側面板１１との間に生ずる隙間が閉鎖されている。また、ボトル商品Ａを搬出しない待機時は、各回転バケット３０は開口部３２ａが後方を向く回転方向所定位置に配置されている。このため、前面板１２の背面側は各回転バケット３０の筒状部３２の外周面、各フレーム３３，３４、取付板１２ｂ及び商品受け１２ｃによって閉鎖され、収容ラック１０内のボトル商品Ａに対する悪戯等の不正を防止することができる。
【００３０】
駆動機構３５は周知の電動モータから成り、収容ラック１０の取付板１２ｂに固定されている。また、駆動機構３５の図示しない駆動シャフトが回転バケット３０の上部に回転方向に係合している。
【００３１】
このように構成されたボトル商品の自動販売機において、収容ラック１０を自動販売機本体１に装着する場合は、収容ラック１０の各レール１１ｃを自動販売機本体１に設けられた図示しないレールに係合させる。これにより、収容ラック１０が自動販売機本体１に前方に引き出し可能に装着される。また、自動販売機本体１に装着された収容ラック１０の各スライダー２０が後端側から前端側に向かって下方に傾斜するように、収容ラック１０の各レール１１ｃの傾きが設定されている。
【００３２】
自動販売機本体１に装着された収容ラック１０に複数のボトル商品Ａを装填すると、各ボトル商品Ａは各商品通路１０ａ内に前後方向に並ぶように収容される。また、商品通路１０ａ内のボトル商品Ａはスライダー２０の傾斜によって前方に向かって移動する。
【００３３】
また、各ボトル商品Ａがスライダー２０上を前方に向かって移動すると、各ボトル商品Ａのうち最前のボトル商品Ａが回転バケット３０内に配置される（図１１参照）。ここで、紙幣投入口３または硬貨投入口４に貨幣が投入され、商品選択ボタン５が操作されると、商品選択ボタン５の操作に応じた回転バケット３０が駆動機構３５によって回転し、回転バケット３０は開口部３２ａが前方を向く他の回転方向所定位置に配置される。これにより、回転バケット３０内のボトル商品Ａが前方に搬出される（図１２参照）。回転バケット３０から搬出されたボトル商品Ａは前面扉２を開放することにより取出される。
【００３４】
ここで、外径の小さいボトル商品Ａを商品通路１０ａ内に収容すると、ボトル商品Ａは商品通路１０ａ内で幅方向に位置がずれるが、スライダー２０の前端は回転バケット３０の載置部３１の外周面に沿うように形成されていることから、スライダー２０の前端と回転バケット３０の載置部３１との隙間を商品通路１０ａの幅方向に亘って極力小さくすることができ、ボトル商品Ａがスライダー２０と回転バケット３０との隙間に引っ掛かることがない。即ち、ボトル商品Ａの種類に拘らず、商品通路１０ａ内のボトル商品Ａが回転バケット３０内に円滑に移動する。
【００３５】
また、ボトル商品Ａの重量や底面の摩擦係数はボトル商品Ａの種類によって異なり、ボトル商品Ａの底面の摩擦係数が大きい場合は、ボトル商品Ａが前方に向かって移動し難い。ここで、後端支持部材７０を他の第２取付孔１１ｂに取付けることにより、スライダー２０の傾斜角度を変更することができるので、例えば摩擦係数が大きいボトル商品Ａを商品通路１０ａ内に収容する場合は、スライダー２０の傾斜角度を大きくすることにより、ボトル商品Ａがスライダー２０上を前方に向かって円滑に移動し、重量が大きく摩擦係数の小さいボトル商品Ａを商品通路１０ａ内に収容する場合は、スライダー２０の傾斜角度を小さくすることにより、ボトル商品Ａの重量によって回転バケット３０に加わる負荷が軽減される。即ち、スライダー２０の途中でボトル商品Ａが止まることがないので、ボトル商品Ａの種類に拘らず、商品通路１０ａ内のボトル商品Ａが回転バケット３０内に円滑に移動する。
【００３６】
また、スライダー２０には当接部材４０が前後方向に移動可能に係合し、当接部材４０は付勢部材５０によって前方に向かって付勢されている。このため、当接部材４０はスライダー２０上の各ボトル商品Ａのうち最後尾のボトル商品Ａに後方から当接し、各ボトル商品Ａは当接部材４０によって前方に向かって付勢される。即ち、商品通路１０ａから回転バケット３０へのボトル商品Ａの移動がより円滑に行われる。
【００３７】
また、回転バケット３０における筒状部３２の外周面には他の部分よりも径方向外側に突出している突状部３２ｃが設けられ、突状部３２ｃはスライダー２０の前端に載置されたボトル商品Ａの重心よりも高い位置に設けられているので、例えばボトル商品Ａの摩擦係数が大きい場合は、スライダー２０上を前方に向かって移動する際にボトル商品Ａが前傾し易いが、スライダー２０の前端においてボトル商品Ａが回転バケット３０の外周面に当接すると、突状部３２ｃによってボトル商品が後傾する（図１２参照）。即ち、ボトル商品Ａが後傾した状態でスライダー２０から回転バケット３０に移動するので（図１３参照）、ボトル商品Ａがスライダー２０と回転バケット３０との隙間に引っ掛かることがなく、ボトル商品Ａの種類に拘らず、商品通路１０ａ内のボトル商品Ａが回転バケット３０内に円滑に移動する。
【００３８】
このように、本実施形態によれば、ボトル商品Ａの種類に拘らず、商品通路１０ａ内のボトル商品Ａを回転バケット３０内に円滑に移動させることができるので、ボトル商品Ａの搬出不具合を生ずることがなく、利用者の利便性を向上する上で極めて有利である。
【００３９】
また、各スライダー２０の前端側は前端支持部材６０によって支持されるとともに、各スライダー２０の後端側は後端支持部材７０によって支持され、前端支持部材６０は各側面板１１の第１取付孔１１ａに取付けられるとともに、後端支持部材７０は第２取付孔１１ｂに取付けられ、さらに、第２取付孔１１ｂは互いに上下方向に間隔をおいて複数設けられていることから、後端支持部材７０を取付ける第２取付孔１１ｂを変えることにより、各スライダー２０の傾斜角度を容易に調整することができる。このため、例えばボトル商品Ａを収容ラック１０に装填する場合に、ボトル商品Ａの種類によって各スライダー２０の傾斜角度を調整する必要があるが、各スライダー２０の傾斜角度を容易に調整することができるので、ボトル商品Ａの装填作業を短時間で行うことができる。
【００４０】
また、回転バケット３０の筒状部３２の外周面に突状部３２ｃを設けるとともに、スライダー３２の前端に載置されたボトル商品Ａの重心よりも高い位置に突状部３２ｃを配置し、さらに、突状部３２ｃは筒状部３２の外周面の他の部分よりも径方向外側に突出しているので、スライダー２０の前端においてボトル商品Ａが回転バケット３０の外周面に当接すると、突状部３２ｃによってボトル商品Ａが確実に後傾する。即ち、商品通路１０ａ内のボトル商品Ａを回転バケット３０内に円滑に移動させる上で極めて有利である。
【００４１】
尚、本実施形態では、各側面板１１の後端側にそれぞれ複数の第２取付孔１１ｂを設けたものを示したが、各側面板１１の後端側にそれぞれ上下方向に延びる長孔１１ｄを設けるとともに、各長孔１１ｄ内にそれぞれ後端支持部材７０の端部を載置可能な複数の載置部１１ｅを設け、各載置部１１ｅを互いに上下方向に間隔をおいて配置することも可能である。この場合は、後端支持部材７０の端部を他の載置部１１ｅに載置することにより、後端支持部材７０の高さ方向の位置を変更することができる。
【００４２】
尚、本実施形態では、当接部材４０がスライダー２０に前後方向に移動可能に係合するとともに、当接部材４０が付勢部材５０によって前方に向かって付勢され、当接部材４０によってスライダー２０上の各ボトル商品Ａが前方に向かって付勢されるようにしたものを示したが、スライダー２０は後端から前端に向かって下方に傾斜しており、各ボトル商品Ａは自重によってスライダー２０上を前方に向かって移動するので、当接部材４０及び付勢部材５０を設けないことも可能である。
【図面の簡単な説明】
【００４３】
【図１】本発明の一実施形態を示す自動販売機の斜視図
【図２】収容ラックの斜視図
【図３】収容ラックの平面図
【図４】取付板及び駆動機構を取外した状態の収容ラックの平面図
【図５】収容ラックの要部斜視図
【図６】スライダー、当接部材及び回転バケットの側面図
【図７】スライダー及び回転バケットの要部平面図
【図８】収容ラックの背面側要部斜視図
【図９】当接部材の正面図
【図１０】当接部材の側面断面図
【図１１】当接部材及び回転バケットの動作説明図
【図１２】当接部材及び回転バケットの動作説明図
【図１３】当接部材及び回転バケットの動作説明図
【図１４】本実施形態の変形例を示す収容ラックの要部側面図
【符号の説明】
【００４４】
１…自動販売機本体、２…前面扉、２ａ…ガラス板、１０…収容ラック、１０ａ…商品通路、１１…側面板、１１ａ…第１取付孔、１１ｂ…第２取付孔、１１ｃ…レール、１２…前面板、１２ａ…開口部、１３…背面板、１３ａ…スリット、１４…仕切板、２０…スライダー、２１…スライダー本体、２１ｃ…第１切欠部、２１ｄ…第２切欠部、２１ｅ…幅方向突出部、２１ｆ…後方突出部、３０…回転バケット、３１…載置部、３１ａ…ボス、３２…筒状部、３２ａ…開口部、３２ｂ…ボス、３２ｃ…突状部、３５…駆動機構、４０…当接部材、５０…付勢部材、６０…前端支持部材、７０…後端支持部材、８０…位置決めピン、Ａ…ボトル商品。
【図１】
2007286747.tif 000003
【図２】
2007286747.tif 000004
【図３】
2007286747.tif 000005
【図４】
2007286747.tif 000006
【図５】
2007286747.tif 000007
【図６】
2007286747.tif 000008
【図７】
2007286747.tif 000009
【図８】
2007286747.tif 000010
【図９】
2007286747.tif 000011
【図１０】
2007286747.tif 000012
【図１１】
2007286747.tif 000013
【図１２】
2007286747.tif 000014
【図１３】
2007286747.tif 000015
【図１４】
2007286747.tif 000016